(57)【要約】【課題】従来の問題点、少なくとも第２水平方向においてコネクタの大型化の問題を解消した回路基板用コネクタ装置を提供することである。【解決手段】ハウジングと、これに保持される端子及び補強金具とを備える。ハウジングは、高さ方向に突出した突壁と、高さ方向に突出し、長さ方向及び幅方向において突壁の周囲を囲む周壁と、長さ方向及び幅方向において突壁と周壁との間に位置し、高さ方向に窪んだ受入部とを有する。補強金具は、周壁の幅部分に配置された端部とそれぞれ連結された状態で、且つ、高さ方向において互いに離間された状態で、周壁の少なくとも長さ部分を端子に向かって延びている第一の部分及び第二の部分を有する。第二の部分は、高さ方向において第一の部分の外端と同じ位置か又は外端よりも実装面に近い側に位置し、且つ、幅方向において第一の部分よりもハウジングの内方に位置している。【選択図】図１
2020119692.tif 000002
【特許請求の範囲】
【請求項１】
回路基板の実装面に実装される回路基板用コネクタ装置であって、
互いに直交する、高さ方向、長さ方向、及び幅方向を有するハウジングと、
前記ハウジングに保持される端子及び補強金具と、を備え、
前記ハウジングは、
前記実装面の側から相手コネクタとの嵌合側に向かって前記高さ方向に突出した突壁と、
前記実装面の側から前記相手コネクタとの嵌合側に向かって前記高さ方向に突出し、前記長さ方向に沿って延びる長さ部分及び前記幅方向に沿って延びる幅部分を有する、前記突壁の周囲を囲む周壁と、
前記長さ方向及び前記幅方向において前記突壁と前記周壁との間に位置し、前記相手コネクタとの嵌合側から前記実装面の側に向かって前記高さ方向に窪んだ受入部と、を有し、
前記補強金具は、
前記周壁の幅部分に配置された端部とそれぞれ連結された状態で、且つ、前記高さ方向において互いに離間された状態で、前記周壁の少なくとも長さ部分を前記端子に向かって延びている第一の部分及び第二の部分と、を有し、
前記第一の部分は、前記高さ方向における前記相手コネクタとの嵌合側にて前記ハウジングから露呈し、
前記第二の部分は、前記高さ方向における前記相手コネクタとの嵌合側とは反対側にて回路基板の実装面に実装され、
前記第二の部分は、前記高さ方向において前記第一の部分よりも前記実装面に近い側に位置し、且つ、前記幅方向において前記第一の部分の外端と同じ位置か又は外端よりも前記ハウジングの内方に位置していることを特徴とする回路基板用コネクタ装置。
【請求項２】
前記端部は、前記周壁の幅部分の外壁を形成する外壁部と、前記周壁の幅部分の内壁を形成する前記受入部に面した内壁部と、前記高さ方向における前記相手コネクタとの嵌合側にて前記外壁部と前記内壁部を繋ぐ上壁部を含み、前記上壁部は、前記高さ方向における前記相手コネクタとの嵌合側にて前記ハウジングから露呈している、請求項１に記載の回路基板用コネクタ装置。
【請求項３】
前記第一の部分は、前記上壁部から延び、前記第二の部分は、前記外壁部から延びている、請求項２に記載の回路基板用コネクタ装置。
【請求項４】
前記高さ方向において前記相手コネクタに最も近い側に位置にする前記上壁部の頂部は、前記高さ方向において前記相手コネクタに最も近い側に位置にする前記第一の部分の頂部と、前記高さ方向において同じ高さに位置付けられている、請求項２又は３に記載の回路基板用コネクタ装置。
【請求項５】
前記第二の部分は、前記高さ方向と前記長さ方向によって形成される面を有し、該面の少なくとも一部は、前記受入部の側において前記ハウジングから露呈している、請求項４に記載の回路基板用コネクタ装置。
【請求項６】
前記ハウジングから露呈している前記第二の部分の面の少なくとも一部と、前記第一の部分の内端と、それらの間に設けた前記ハウジングの一部は、前記受入部の側において前記高さ方向に沿って同一面を形成する、請求項５に記載の回路基板用コネクタ装置。
【請求項７】
前記補強金具は、更に、前記受入部の底壁の一部を形成する底部と、該底部から前記長手方向に沿って延び且つ前記高さ方向において前記相手コネクタとの嵌合側に向かって突出して前記突壁の外壁の一部を形成する端壁と、前記端壁の前記底部とは反対側に設けられた湾曲部を有する、請求項１乃至６のいずれかに記載の回路基板用コネクタ装置。
【請求項８】
前記湾曲部は、前記高さ方向において前記相手コネクタに最も近い側に位置にする前記突壁の頂部を形成する、請求項７に記載の回路基板用コネクタ装置。
【請求項９】
前記湾曲部の端部は前記突壁に埋め込まれている、請求項７又は８に記載の回路基板用コネクタ装置。
【請求項１０】
前記端子の一部は、前記高さ方向における前記相手コネクタとの嵌合側にて前記ハウジングの前記長さ部分から露呈し、露呈した前記端子の一部のうち、前記高さ方向において前記相手コネクタに最も近い側に位置にする前記端子の頂部は、前記高さ方向において前記相手コネクタに最も近い側に位置にする前記湾曲部の頂部、及び、前記第一の部分の頂部と、前記高さ方向において同じ高さに位置付けられている、請求項７乃至９のいずれかに記載の回路基板用コネクタ装置。
【請求項１１】
前記端子の弾性接触部は、前記相手コネクタとの嵌合時に、前記相手コネクタと弾性接触し得るように前記相手コネクタと前記突壁との間に位置付けられる、請求項１０に記載の回路基板用コネクタ装置。
【請求項１２】
前記補強金具は、更に、前記受入部の底壁の一部を形成する底部と、該底部から前記幅方向に沿って延び且つ前記高さ方向において前記相手コネクタとの嵌合側に向かって突出した弾性接触部を有し、該弾性接触部は、前記相手コネクタとの嵌合時に、前記相手コネクタと弾性接触し得るように前記相手コネクタと前記周壁との間に位置付けられる、請求項１乃至１１のいずれかに記載の回路基板用コネクタ装置。
【請求項１３】
前記高さ方向において前記相手コネクタに最も近い側に位置にする前記弾性接触部の頂部は、前記高さ方向において前記相手コネクタに最も近い側に位置にする前記第一の部分の頂部よりも前記実装面に近い側に位置している、請求項１２に記載の回路基板用コネクタ装置。
【請求項１４】
前記第二の部分は、前記高さ方向と前記長さ方向によって形成され且つ前記受入部の側において前記ハウジングから露呈している露呈面を有し、前記弾性接触部は、前記第二の部分の前記露呈面と前記幅方向において対向して配置されている、請求項１２又は１３に記載の回路基板用コネクタ装置。
【請求項１５】
前記露呈面と前記弾性接触部は、前記長さ方向において互いに重なりを有する、請求項１４に記載の回路基板用コネクタ装置。
【請求項１６】
前記高さ方向において前記相手コネクタに最も近い側に位置にする前記第一の部分の頂部は、前記高さ方向において前記相手コネクタに最も近い側に位置にする前記ハウジングの頂部と、前記高さ方向において同じ高さに位置付けられている、請求項１乃至１５のいずれかに記載の回路基板用コネクタ装置。
【請求項１７】
前記端子と前記補強金具は、前記ハウジングと一体成形されている、請求項１乃至１６のいずれかに記載の回路基板用コネクタ装置。
【請求項１８】
前記補強金具は板状の一枚の金属から成る、請求項１乃至１７のいずれかに記載の回路基板用コネクタ装置。
【請求項１９】
請求項１乃至１８のいずれかに記載の回路基板用コネクタ装置と、該回路基板用コネクタ装置と嵌合される前記相手コネクタとの組から成る、コネクタ装置組立体。
【発明の詳細な説明】
【技術分野】
【０００１】
本発明は、回路基板の実装面に実装される回路基板用コネクタ装置に関する。
【背景技術】
【０００２】
特許文献１に、回路基板用コネクタ装置の一例である回路基板用電気コネクタが開示されている。この回路基板用電気コネクタは、樹脂からなる保持部材と、保持部材に保持される複数のコンタクトと、保持部材に組み込まれる２つの補強部材と、２つのガイド部材を備える。ガイド部材は、補強部材と夫々一体となっており、補強部材とともにインサートモールドにより保持部材に組み込まれている。
【０００３】
保持部材は、相手側コネクタが上下方向においてコネクタの上側から接近してそれらが嵌合した際に、相手側コネクタの一部を収容する収容部と、収容部内に配置され且つ上下方向において上方に突出している島状部と、収容部を介して島状部を囲んでいる包囲部とを有している。
【０００４】
島状部は、上下方向と直交する第１水平方向に長手を有し、且つ、上下方向及び第１水平方向の双方と直交する第２水平方向における両端に、第１水平方向に配列された第１接点部収容部を有する。これら第１接点部収容部には、コンタクトの第１接点部が収容される。
【０００５】
包囲部は、上下方向と直交する第１水平方向に長手を有し、且つ、上下方向及び第１水平方向の双方と直交する第２水平方向における両端に、第１水平方向に配列された第２接点部収容部を有する。これら第２接点部収容部には、コンタクトの第２接点部が収容される。第１接点部と第２接点部は、第２水平方向において互いに対向配置されている。
【０００６】
補強部材は、第１水平方向において島状部の２つの端部に夫々位置し、島状部の内部に延びている。補強部材は、島状部を保護する保護部を含み、該保護部は、上面から上下方向において下方に向かう露出連結部と、上面から第２水平方向に沿って島状部から離れる方向にそれぞれ分岐された支持部と、各支持部と連結された下側露出部と、各下側露出部と連結された弾性片を含む。
【０００７】
ガイド部材は、第１水平方向において補強部材の保護部と対向している第１ガイド部と、第２水平方向において保持部材の収容部を挟んで位置している２つの第２ガイド部と、第１ガイド部の上端から下方に延びてガイド部材と補強部材とを連結している連結部とを有している。ガイド部材の第２ガイド部の上端は、第１ガイド部の上端と連結されており、また、該上端と連結され、自由端として形成された下端において、回路基板（図示せず）に半田付けされるようになっている。
【先行技術文献】
【特許文献】
【０００８】
【特許文献１】特開２０１７−１６８２１０号公報
【発明の概要】
【発明が解決しようとする課題】
【０００９】
特許文献１の回路基板用電気コネクタでは、第１水平方向に延びるガイド部材の第２ガイド部において、回路基板（図示せず）と半田付けされる下端が、第２ガイド部の上端を形成している第２水平方向における端部から上下方向に沿って垂直に折り曲げることによって形成されており、この結果、第２水平方向において、少なくともガイド部材の板厚の分だけコネクタが大型化してしまうといった問題が生じていた。
また、特許文献１のコネクタでは、相手側コネクタとの嵌合時に相手側コネクタと接触する補強部材の弾性片が第１水平方向において島状部にまで及んでおり、この結果、端子の他に補強部材の弾性片を配列した分だけ、第１水平方向においてもコネクタが大型化してしまうといった問題が生じていた。
【００１０】
更に、特許文献１のコネクタでは、ガイド部材が端子に比べて相手側コネクタとの嵌合側に突出していることから、上下方向においてもコネクタが大型化してしまうといった問題が生じていた。
【００１１】
更にまた、特許文献１のコネクタでは、島状部を保護する補強部材の上面が、ガイド部材に比べて第２水平方向において細幅に形成されており、相手側コネクタとの嵌合時に相手側コネクタと接触し得る補強部材の弾性片が、このような細幅の上面から分岐して設けられていることから、これら細幅の上面や弾性片において熱が発生し易く、高周波信号に雑音を生じさせてしまうといった問題が生じていた。
【００１２】
本発明の目的は、上記従来の問題点、少なくとも第２水平方向においてコネクタの大型化の問題を解消した回路基板用コネクタ装置を提供することにある。
【課題を解決するための手段】
【００１３】
上記の課題を解決するため、本発明の一態様による回路基板用コネクタ装置は、回路基板の実装面に実装される回路基板用コネクタ装置であって、互いに直交する、高さ方向、長さ方向、及び幅方向を有するハウジングと、前記ハウジングに保持される端子及び補強金具と、を備え、前記ハウジングは、前記実装面の側から相手コネクタとの嵌合側に向かって前記高さ方向に突出した突壁と、前記実装面の側から前記相手コネクタとの嵌合側に向かって前記高さ方向に突出し、前記長さ方向に沿って延びる長さ部分及び前記幅方向に沿って延びる幅部分を有する、前記突壁の周囲を囲む周壁と、前記長さ方向及び前記幅方向において前記突壁と前記周壁との間に位置し、前記相手コネクタとの嵌合側から前記実装面の側に向かって前記高さ方向に窪んだ受入部と、を有し、前記補強金具は、前記周壁の幅部分に配置された端部とそれぞれ連結された状態で、且つ、前記高さ方向において互いに離間された状態で、前記周壁の少なくとも長さ部分を前記端子に向かって延びている第一の部分及び第二の部分と、を有し、前記第一の部分は、前記高さ方向における前記相手コネクタとの嵌合側にて前記ハウジングから露呈し、前記第二の部分は、前記高さ方向における前記相手コネクタとの嵌合側とは反対側にて回路基板の実装面に実装され、    前記第二の部分は、前記高さ方向において前記第一の部分よりも前記実装面に近い側に位置し、且つ、前記幅方向において前記第一の部分の外端と同じ位置か又は外端よりも前記ハウジングの内方に位置していることを特徴として有する。
また、本発明は、上記回路基板用コネクタ装置と、該回路基板用コネクタ装置と嵌合される前記相手コネクタとの組から成る、コネクタ装置組立体を特徴とする。
この態様の回路基板用コネクタ装置等によれば、少なくとも幅方向においてコネクタの大型化を防ぐことができる。
【００１４】
上記態様の回路基板用コネクタ装置において、前記端部は、前記周壁の幅部分の外壁を形成する外壁部と、前記周壁の幅部分の内壁を形成する前記受入部に面した内壁部と、前記高さ方向における前記相手コネクタとの嵌合側にて前記外壁部と前記内壁部を繋ぐ上壁部を含み、前記上壁部は、前記高さ方向における前記相手コネクタとの嵌合側にて前記ハウジングから露呈しているのが好ましい。
【００１５】
また、上記態様の回路基板用コネクタ装置において、前記第一の部分は、前記上壁部から延び、前記第二の部分は、前記外壁部から延びていてもよい。
【００１６】
更に、上記態様の回路基板用コネクタ装置において、前記高さ方向において前記相手コネクタに最も近い側に位置にする前記上壁部の頂部は、前記高さ方向において前記相手コネクタに最も近い側に位置にする前記第一の部分の頂部と、前記高さ方向において同じ高さに位置付けられていてもよい。
【００１７】
また、上記態様の回路基板用コネクタ装置において、前記第二の部分は、前記高さ方向と前記長さ方向によって形成される面を有し、該面の少なくとも一部は、前記受入部の側において前記ハウジングから露呈していてもよい。  上記態様の回路基板用コネクタ装置において、前記ハウジングから露呈している前記第二の部分の面の少なくとも一部と、前記第一の部分の内端と、それらの間に設けた前記ハウジングの一部は、前記受入部の側において前記高さ方向に沿って同一面を形成するものであってもよい。
【００１８】
また、上記態様の回路基板用コネクタ装置において、前記補強金具は、更に、前記受入部の底壁の一部を形成する底部と、該底部から前記長手方向に沿って延び且つ前記高さ方向において前記相手コネクタとの嵌合側に向かって突出して前記突壁の外壁の一部を形成する端壁と、前記端壁の前記底部とは反対側に設けられた湾曲部を有していてもよい。
【００１９】
上記態様の回路基板用コネクタ装置において、前記湾曲部は、前記高さ方向において前記相手コネクタに最も近い側に位置にする前記突壁の頂部を形成するものであってもよい。
【００２０】
更にまた、上記態様の回路基板用コネクタ装置において、前記湾曲部の端部は前記突壁に埋め込まれているのが好ましい。
【００２１】
また、上記態様の回路基板用コネクタ装置において、前記端子の一部は、前記高さ方向における前記相手コネクタとの嵌合側にて前記ハウジングの前記長さ部分から露呈し、露呈した前記端子の一部のうち、前記高さ方向において前記相手コネクタに最も近い側に位置にする前記端子の頂部は、前記高さ方向において前記相手コネクタに最も近い側に位置にする前記湾曲部の頂部、及び、前記第一の部分の頂部と、前記高さ方向において同じ高さに位置付けられていてもよい。
【００２２】
また、上記態様の回路基板用コネクタ装置において、前記端子の弾性接触部は、前記相手コネクタとの嵌合時に、前記相手コネクタと弾性接触し得るように前記相手コネクタと前記突壁との間に位置付けられていてもよい。
【００２３】
また、上記態様の回路基板用コネクタ装置において、前記補強金具は、更に、前記受入部の底壁の一部を形成する底部と、該底部から前記幅方向に沿って延び且つ前記高さ方向において前記相手コネクタとの嵌合側に向かって突出した弾性接触部を有し、該弾性接触部は、前記相手コネクタとの嵌合時に、前記相手コネクタと弾性接触し得るように前記相手コネクタと前記周壁との間に位置付けられていてもよい。
【００２４】
また、上記態様の回路基板用コネクタ装置において、前記高さ方向において前記相手コネクタに最も近い側に位置にする前記弾性接触部の頂部は、前記高さ方向において前記相手コネクタに最も近い側に位置にする前記第一の部分の頂部よりも前記実装面に近い側に位置しているのが好ましい。
【００２５】
また、上記態様の回路基板用コネクタ装置において、前記第二の部分は、前記高さ方向と前記長さ方向によって形成され且つ前記受入部の側において前記ハウジングから露呈している露呈面を有し、前記弾性接触部は、前記第二の部分の前記露呈面と前記幅方向において対向して配置されているのが好ましい。
【００２６】
また、上記態様の回路基板用コネクタ装置において、前記露呈面と前記弾性接触部は、前記長さ方向において互いに重なりを有するのが好ましい。
【００２７】
また、上記態様の回路基板用コネクタ装置において、前記高さ方向において前記相手コネクタに最も近い側に位置にする前記第一の部分の頂部は、前記高さ方向において前記相手コネクタに最も近い側に位置にする前記ハウジングの頂部と、前記高さ方向において同じ高さに位置付けられているのが好ましい。
【００２８】
更にまた、上記態様の回路基板用コネクタ装置において、前記端子と前記補強金具は、前記ハウジングと一体成形されていてもよい。
【００２９】
更にまた、上記態様の回路基板用コネクタ装置において、前記補強金具は板状の一枚の金属から成っていてもよい。
【発明の効果】
【００３０】
本発明によれば、上記従来の問題点、少なくとも第２水平方向（幅方向）においてコネクタの大型化の問題を解消した回路基板用コネクタ装置が提供される。
【図面の簡単な説明】
【００３１】
【図１】本発明の一実施形態によるコネクタ装置組立体の一例を示す斜視図である。
【図２】本発明の一実施形態によるコネクタ装置組立体の一例を示す斜視図である。
【図３】レセプタクルコネクタの端子及び補強金具を示した斜視図及び側面図である。
【図４】本発明の一実施形態による回路基板用コネクタ装置の平面図である。
【図５】図４のＡ−Ａ線断面図である。
【図６】図５のＢ−Ｂ線断面図である。
【図７】図５のＣ−Ｃ線断面図である。
【図８】補強金具の斜視図である。
【図９】補強金具の斜視図である。
【図１０】補強金具の斜視図である。
【図１１】補強金具の正面図である。
【発明を実施するための形態】
【００３２】
以下、添付図面を参照しつつ、本発明の好適な一つの実施形態について説明する。説明の便宜のため好適な実施形態のみを示すが、勿論、これによって本発明を限定しようとするものではない。
【００３３】
図１、図２に、本発明の一実施形態に係るコネクタ装置組立体３の一例を斜視図で示す。このコネクタ装置組立体３は、本発明の一実施形態に係るレセプタクルコネクタ（回路基板用コネクタ装置）１と、このレセプタクルコネクタ１に対して嵌合される相手コネクタであるプラグコネクタ２の組から成る。図１は、レセプタクルコネクタ１を下側に、プラグコネクタ２を上側に、それぞれ配した状態を示す斜視図、図２は、図１の上下を反転させた図である。
【００３４】
レセプタクルコネクタ１及びプラグコネクタ２は、それぞれが異なる回路基板（図示せず）の実装面に実装される回路基板用コネクタ装置である。レセプタクルコネクタ１とプラグコネクタ２は、各回路基板の実装面に対して図示矢印「α」方向に沿って移動させることによって、互いに嵌合させ、また、嵌合を解除することができる。レセプタクルコネクタ１及びプラグコネクタ２共に、それぞれ、コネクタ嵌合方向に沿う方向「α」と直交する長さ方向「β」、及び、これら「α」及び「β」方向と直交する幅方向「γ」において対称形状を有する。但し、本発明の主題に反しない限り、異なる形状部分を有していてもよい。
【００３５】
レセプタクルコネクタ１は、略偏平矩形状の樹脂製のハウジング１０と、このハウジング１０に保持される端子２０及び補強金具３０を備える。ハウジング１０による端子２０及び補強金具３０の保持は、組み込みや圧入によるものであってもよいが、一体成形（インサート成形）がより好ましい。本実施形態では、端子２０及び補強金具３０は、ハウジング１０に一体成形（インサート成形）により保持されている。
【００３６】
ハウジング１０は、互いに直交する、高さ方向「α」、長さ方向「β」、及び幅方向「γ」を有する。高さ方向「α」は、前出のコネクタ嵌合方向に沿っている。尚、これらの語は、方向を区別するための単なる便宜上の語であって、それらの長短まで意味するものではない。
【００３７】
ハウジング１０は、主に、回路基板が実装される実装面に配置される底壁１１と、底壁１１からプラグコネクタ２との嵌合側に向かって高さ方向「α」に突出した略直方形状の突壁１２と、実装面の側からプラグコネクタ２との嵌合側に向かって高さ方向「α」に突出し、長さ方向「β」及び幅方向「γ」において突壁１２の周囲を囲む囲枠状の周壁１３と、長さ方向「β」及び幅方向「γ」において突壁１２と周壁１３との間に位置し、プラグコネクタ２との嵌合側から実装面の側に向かって高さ方向「α」に窪んだ受入部１６を有する。周壁１３は、２個の側壁（請求項中の「長さ部分」）１４と、２個の端壁（請求項中の「幅部分」）１５から成る。側壁１４は、幅方向「γ」において互いに対向して、且つ、長さ方向「β」に沿って並列に延びており、同様に、端壁１５は、長さ方向「β」において互いに対向して、且つ、幅方向「γ」に沿って並列に延びている。突壁１２には、各端子２０の一部を収容する溝部１２Ａが、上方において開放された状態で突壁１２の突出範囲全域にわたって形成されている。
【００３８】
図３に、図１等に示したレセプタクルコネクタ１においてハウジング１０を省略し、端子２０及び補強金具３０のみを残した図を示す。図３の（ａ）は、その斜視図を、図３の（ｂ）は、その側面図を、それぞれ示す。更に、図４に、レセプタクルコネクタ１のみの平面図を、図５に、図４のＡ−Ａ線断面図を、図６に、図５のＢ−Ｂ線断面図を、図７に、図５のＣ−Ｃ線断面図を、それぞれ示す。
【００３９】
端子２０は、突壁１２を中心に、幅方向「γ」の一方の側に５個、同様に、他方の側に５個、計１０個設けられている。端子２０の数は特に限定されるものではなく、１個であってもよい。端子２０は全て、長さ方向「β」において、所定の間隔をもって突壁１２の範囲内に配置されている。
【００４０】
端子２０は、主として、信号の送受信に使用される信号端子である。各端子２０は、板状の一枚の金属を打ち抜き、折り曲げることによって形成されており、基部２１と、該基部２１の一端から高さ方向「α」にてプラグコネクタ２との嵌合側に向かって延びる、換言すれば、実装面の側からプラグコネクタ２との嵌合側に向かって立ち上げられた接触腕部２２と、基部２１の他端から高さ方向「α」にてプラグコネクタ２との嵌合側に向かって且つ実装面の側に向かって延びる逆Ｕ字状の被保持部２３と、被保持部２３の端部に形成された実装面に半田接続可能な接続部２４を含む。基部２１は、長さ方向「β」に沿って所定の幅を有する。これにより、端子２０を位置決めするための金型を設置したことによってハウジング１０の底に形成された穴１１ａを完全に防ぐことができ、基板側からの異物の侵入を防ぐことができる。接触腕部２２は弾性変形可能に形成されており、その自由端に、前出の弾性接触部２２ａが設けられている。
【００４１】
端子２０がハウジング１０に保持されたとき、前述したように、接触腕部２２は、突壁１２に設けた溝部１２Ａに配置され、一方、被保持部２３は、幅方向「γ」において接触腕部２２と対向する側の側壁１４に受入部１６を介して対向配置される。
【００４２】
弾性接触部２２ａは、突壁１２に設けた溝部１２Ａから該溝部１２Ａと対向配置された一方の側壁１４に向かって付勢された状態で、幅方向「γ」において受入部１６に弾性突出した状態で設けられており、レセプタクルコネクタ１とプラグコネクタ２との嵌合時にプラグコネクタ２と弾性接触し得るように、プラグコネクタ２と突壁１２との間に位置付けられている。
【００４３】
被保持部２３は、基部２１の側壁１４側の端部から該側壁１４の内面に沿って高さ方向「α」にてプラグコネクタ２との嵌合側に向かって延びる内側腕部２３ａと、該内側腕部２３ａの上端から連続して該内側腕部２３ａよりもコネクタ幅方向外側位置で高さ方向「α」にて実装面の側に向かって折り返される移行部２３ｂと、該移行部２３ｂを経て高さ方向「α」にて実装面の側に向かって延びる外側腕部２３ｃを含む。内側腕部２３ａの露呈面には、ロック凹部２３ａ−１が設けられている。
【００４４】
端子２０がハウジング１０に保持されたときであっても、被保持部２３の一部は、少なくとも一部においてハウジング１０の外部に露呈させるのが好ましい。被保持部２３の中、特に、移行部２３ｂの一部は、高さ方向「α」におけるプラグコネクタ２との嵌合側にてハウジング１０の側壁１４から露呈し、高さ方向「α」においてプラグコネクタ２に最も近い側に位置にする端子２０の頂部２３Ａを形成し得る。端子２０の頂部２３Ａを形成する部分、及び、幅方向「γ」におけるその周辺部分は、プラグコネクタ２との嵌合時にプラグコネクタ２と衝突する可能性が大きいが、これらの部分を、高さ方向「α」におけるプラグコネクタ２との嵌合側においてハウジング１０から露呈させることによって、樹脂製のハウジング１０に比べて強度が大きい金属部分をプラグコネクタ２との嵌合時にプラグコネクタ２と衝突し得る部分として、レセプタクルコネクタ１の不所望の破損を防止することができるようになっている。
【００４５】
図８乃至図１０に、それぞれ、補強金具３０の斜視図を角度を変えて示し、更に、図１１に、補強金具の正面図を示す。補強金具３０は、少なくともハウジング１０の強度を補強する機能を有し、更に、プラグコネクタ２の補強金具７０と機械的及び電気的に接触することで、電源端子としての機能を有してもよい。尚、電源端子としての機能を備えることは必須ではないが、電源端子として使用することによって多くの利点が得られる。
【００４６】
補強金具３０は、周壁１３の長さ方向「β」における各端部に１個ずつ、計２個、設けられている。これらの補強金具３０は共に、突壁１２の一部を形成し得る部分（後述する３５、３６）を除き、長さ方向「β」において、突壁１２の範囲の外側に配置されている。
【００４７】
補強金具３０は、板状の一枚の金属を打ち抜き、折り曲げることによって形成されている。補強金具３０は、少なくとも、端部（３１、３２、３３）と、この端部にそれぞれ連結された状態で、且つ、高さ方向「α」において互いに離間された状態で、周壁１３に沿って、更に詳細には、端壁１５の一部を幅方向「γ」に沿って且つ側壁１４の一部を長さ方向「β」に沿って、端子２０に向かって並行に延びている、側壁頂面補強部（第一の部分）４０及び立上部（第二の部分）４１を含む。
【００４８】
端部は、端壁１５の外壁を形成する外壁部３３と、端壁１５の内壁を形成する内壁部３１と、高さ方向「α」におけるプラグコネクタ２との嵌合側にて外壁部３３と内壁部３１を繋ぐ上壁部（端部頂面補強部）３２を含む。
【００４９】
外壁部３３は、回路基板に対する実装面の側において、その略全ての部分をハウジング１０に埋め込まれた状態で設けられている。外壁部３３の端部には、回路基板の基板面に対して略並行に延びる実装部３４が設けられている。
内壁部３１は、受入部１６の一部の面を形成し得る。
上壁部３２は、本実施形態に示すように、高さ方向「α」と直交する面「β−γ」において、平らな板面を形成していてもよい。この平らな面は、高さ方向「α」においてプラグコネクタ２に最も近い側に位置にする頂部３２Ａを形成する。頂部３２Ａは、ハウジング１０から露呈した状態で設けられており、周壁１３の幅方向「γ」に沿って所定の幅を有している。以上の構成によれば、上壁部３２もがプラグコネクタ２と衝突する可能性を、側壁頂面補強部４０の頂部４０Ａ等と略同じものとすることができ、しかも、側壁１４の幅方向「γ」の全体に亘って、プラグコネクタ２との嵌合時にプラグコネクタ２と衝突する可能性が大きい部分を、強度が大きい金属部分として、レセプタクルコネクタ１の不所望の破損を防止することができる。また、高さ方向「α」においてレセプタクルコネクタ１が大型化してしまうことを効果的に防止することができる。その他の部分は、プラグコネクタ２との嵌合側の面において、ハウジング１０から露呈した状態で設けられている。
【００５０】
側壁頂面補強部４０は、本実施形態に示すように、高さ方向「α」と直交する面「β−γ」において、平ら板面を形成していてもよい。これにより、高さ方向「α」において、レセプタクルコネクタ１を小型化することができる。この平らな面は、高さ方向「α」においてプラグコネクタ２に最も近い側に位置にする頂部４０Ａを形成する。頂部４０Ａは、上壁部３２の頂部３２Ａと連結部４０ｃを介して連続した状態で上壁部３２から延びており、該頂部３２Ａとともにハウジング１０から露呈している。これら頂部４０Ａ及び頂部３２Ａは、本実施形態に示すように、ハウジング１０の頂部１０Ａや端子の頂部２３Ａとともに、高さ方向「α」において同じ高さに位置付けられているのが好ましい。これらの頂部４０Ａ、３２Ａ、１０Ａ、２３Ａは、プラグコネクタ２との嵌合時にプラグコネクタ２と衝突する可能性が大きいが、これらの部分を、高さ方向「α」におけるプラグコネクタ２との嵌合側においてハウジング１０から露呈させることによって、樹脂製のハウジング１０に比べて強度が大きい金属部分をプラグコネクタ２との嵌合時にプラグコネクタ２と衝突し得る部分として、レセプタクルコネクタ１の不所望の破損を防止することができる。
【００５１】
立上部４１は、外壁部３３から折曲部４１ａを介して連続した状態で延びている部分であって、高さ方向「α」において側壁頂面補強部４０よりも実装面に近い側に位置付けられ、且つ、幅方向「γ」において側壁頂面補強部４０の外端４０ａと同じ位置か又は外端４０ａよりもハウジング１０の内方に位置付けられている。側壁頂面補強部４０と立上部４１は、この位置関係を維持した状態で、先端に自由端を形成した状態で互いに並行に延びている。この構成によれば、補強金具３０を設けたことによって、幅方向「γ」においてレセプタクルコネクタ１が大型化してしまうことはない。更に言えば、従来の構成に比べて、幅方向「γ」において、レセプタクルコネクタ１を小型化することができる。
【００５２】
立上部４１は、高さ方向「α」におけるプラグコネクタ２との嵌合側とは反対側にて回路基板の実装面に実装される。回路基板へ実装するため、実装面の側に、回路基板の基板面に対して略並行に延びる実装部４２が設けられている。
【００５３】
立上部４１の少なくとも一部は、受入部１６の側においてハウジング１０から露呈した露呈面４１ｂを形成し得る。この露呈面４１ｂは、高さ方向「α」と長さ方向「β」によって形成される面によって形成される。立上部４１は、露呈面４１ｂを除き、外壁部３３から延びている折曲部４１ａを含め、ハウジング１０にその略全ての部分を埋め込まれている。補強金具３０をハウジング１０にインサート成型した場合、少なくとも、この露呈面４１ｂと、側壁頂面補強部４０の内端４０ｂと、それらの間に設けたハウジングの一部１０ａは、受入部１６の側において高さ方向「α」に沿って同一面を形成する。これにより、幅方向「γ」において、レセプタクルコネクタ１を小型化することができる。また、これらを同一面とすることにより、レセプタクルコネクタ１の強度を強化することができる。
【００５４】
補強金具３０は、また、受入部１６の底壁５１の一部を形成する底部３８を含み、更に、該底部３８から長手方向「β」に沿って延び且つ高さ方向「α」においてプラグコネクタ２との嵌合側に向かって突出して突壁１２の外壁の一部を形成する端壁３５と、端壁３５の底部３８とは反対側に設けられた湾曲した湾曲部３６ａを含む。端壁３５は、突壁１２の長さ方向「β」における端部に位置しており、プラグコネクタ２との嵌合時において突壁１２の端面を保護する機能を有する。湾曲部３６ａは、高さ方向「α」においてプラグコネクタ２に最も近い側に位置にする突壁１２の頂部３６Ａを形成する。頂部３６Ａは、端子２０の移行部２３ｂに形成された頂部２３Ａ、及び、側壁頂面補強部４０の頂部４０Ａと、高さ方向「α」において同じ高さに位置付けられている。これにより、頂部４０Ａなどと共に、樹脂製のハウジング１０、特に、その突壁１２を補強する役割を有している。湾曲部３６ａの端部３６ｂは、突壁１２に埋め込まれており、補強金具３０がハウジング１０から容易に剥がれ落ちてしまうことを効果的に防止する。
【００５５】
補強金具３０は、更にまた、底部３８から幅方向「γ」において互いに離間する方向に沿って互いに分岐された状態で延出した延出部４３と、該延出部４３を介して、底部３８から高さ方向「α」においてプラグコネクタ２との嵌合側に向かって突出した、換言すれば、実装面の側からプラグコネクタ２との嵌合側に向かって立ち上げられた、幅狭の接触腕部４４を有する。このように、幅方向「γ」において比較的大きな底部３８から幅狭の接触腕部４４を分岐させることにより、弾性片における熱の発生を効果的に防止して、補強金具３０を、高電流を伝送可能な電源端子として利用することもできる。また、延出部４３に所定の幅を持たせることにより、補強金具３０を位置決めするための金型を設置したことによってハウジング１０の底に形成された穴１１ｂを完全に防ぐことができ、基板側からの異物の侵入を防ぐことができる。各接触腕部４４の先端には、プラグコネクタ２との嵌合時に、プラグコネクタ２と弾性接触し得るようにプラグコネクタ２と周壁１３との間に位置付けられる弾性接触部４４ａが形成されている。
【００５６】
高さ方向「α」においてプラグコネクタ２に最も近い側に位置にする弾性接触部４４ａの頂部４４Ａは、高さ方向「α」においてプラグコネクタ２に最も近い側に位置にする側壁頂面補強部４０の頂部４０Ａよりも実装面に近い側に位置している。これにより、プラグコネクタ２との嵌合時に、プラグコネクタ２との衝突によって接触腕部４４を座屈させてしまうといった問題を効果的に防止することができる。
【００５７】
弾性接触部４４ａは、一方の側壁１４から該一方の側壁１４と対向配置された他方の側壁１４に向かって付勢された状態で、幅方向「γ」において受入部１６に弾性突出した状態で設けられており、レセプタクルコネクタ１とプラグコネクタ２との嵌合時にプラグコネクタ２と弾性接触し得るように、プラグコネクタ２と側壁１４との間に位置付けられている。
【００５８】
弾性接触部４４ａは、弾性接触部２２ａと同様に、長さ方向「β」に沿って配列されているが、弾性接触部２２ａと異なり、弾性接触部４４ａは、該長さ方向「β」において、弾性接触部２２ａが配列された突壁１２の範囲には及ばない。従って、弾性接触部４４ａを設けたことによって、長さ方向「β」においてレセプタクルコネクタ１が大型化することはない。
【００５９】
幅方向「γ」において、弾性接触部２２ａと弾性接触部４４ａは、ハウジング１０の受入部１６に、幅方向「γ」において対向配置されている。また、幅方向「γ」において、弾性接触部４４ａの弾性突出方向と、弾性接触部２２ａの弾性突出方向は、逆方向に設定されている。この結果、幅方向「γ」において、弾性接触部２２ａと弾性接触部４４ａの間に、プラグコネクタ２の所定部分が弾性挿入される隙間が形成される。プラグコネクタ２の所定部分（側壁５４等）が、この隙間に弾性挿入されることにより、端子２０の弾性接触部２２ａは、プラグコネクタ２と突壁１２との間、言い換えれば、プラグコネクタ２の内壁側で、一方、補強金具３０の弾性接触部４４ａは、プラグコネクタ２と周壁１３との間、言い換えれば、プラグコネクタ２の外壁側で、それぞれプラグコネクタ２の所定部分と弾性接触し得る。
【００６０】
弾性接触部４４ａは、立上部４１の露呈面４１ｂと幅方向「γ」において対向した状態で配置されている。また、露呈面４１ｂと弾性接触部４４ａは、長さ方向「β」において互いに重なりを有する。このような構成及び配置とすることにより、例えば、補強金具３０を電源端子と使用した場合に、弾性接触部４４ａ付近に発生した熱を、立上部４１を介して、立上部４１と連続する実装部４２を通じて効果的に放熱することができる。弾性接触部４４ａは他の部分に比べて細幅となっていることから特に熱が発生し易いが、上記の機構を通じて、効果的に放熱することができる。また、プラグコネクタ２との嵌合時に、弾性接触部４４ａの座屈等による変形を効果的に防止することができる。
【００６１】
プラグコネクタ２は、略直方体外形をなす樹脂製のハウジング５０と、このハウジング５０によって保持される端子６０及び補強金具７０を備える。ハウジング５０による端子６０及び補強金具７０の保持は、組み込みによるものであってもよいが、一体成形がより好ましい。
【００６２】
ハウジング５０は、レセプタクルコネクタ１のハウジング１０に設けた受入部１６に対応して、囲枠状の嵌合部を形成する。ハウジング５０が受入部１６内に嵌入されることにより、レセプタクルコネクタ１とプラグコネクタ２が嵌合接続されるようになっている。
【００６３】
ハウジング５０は、主に、回路基板が実装される実装面に配置される底壁５１と、底壁５１からレセプタクルコネクタ１との嵌合側に向かって高さ方向「α」に突出した囲枠状の周壁５３とを有する。周壁５３は、２個の側壁５４と、２個の端壁５５を含む。側壁５４は、幅方向「γ」において互いに対向して、且つ、長さ方向「β」に沿って並列に延びており、同様に、端壁５５は、長さ方向「β」において互いに対向して幅方向「γ」に沿って並列に延びている。
【００６４】
プラグコネクタ２にも、レセプタクルコネクタ１の端子２０に対応して、複数の端子６０が設けられている。各端子６０は、側壁５４に保持されるＵ字状のＵ字状部６１と、該Ｕ字状部６１の二つの腕部のうち受入部５６側に位置する一方の腕部から、幅方向「γ」外方へ向けて延び回路基板の対応信号回路部に接続される接続部６２とを含む。
【００６５】
Ｕ字状部６１は、コネクタ嵌合状態にて、レセプタクルコネクタ１の信号端子２０の接触腕部２２と、被保持部２３の内側腕部２３ａとの間に突入する部分であり、側壁５４を下方から跨ぐようにして該側壁５４に埋設されている。該Ｕ字状部６１は、側壁５４の外面に沿って実装面の側に向かって延びる外側腕部６１ａと、該外側腕部６１ａの下端からコネクタ幅方向内側位置で高さ方向「α」にてプラグコネクタ２との嵌合側に向かって折り返される移行部６１ｂと、該移行部６１ｂを経て高さ方向「α」にてプラグコネクタ２との嵌合側に向かって延びる内側腕部６１ｃとを有する。レセプタクルコネクタ１の端子２０のロック凹部２３ａ−１に対応して、外側腕部６１ａの露呈面に、被ロック段部６１ａ−１が設けられている。レセプタクルコネクタ１とプラグコネクタ２の嵌合時には、被ロック段部６１Ａ−１がロック凹部２３ａ−１に係止され、端子２０と端子６０が確実に接触するとともに、コネクタの抜けを防止することができる。
【００６６】
補強金具７０は、レセプタクルコネクタ１の補強金具３０に対応して、周壁５３の長さ方向「β」における各端部に１個ずつ、計２個、設けられている。補強金具７０は、レセプタクルコネクタ１の補強金具３０の機能に対応して、ハウジング５０を補強する機能を有するのみならず、レセプタクルコネクタ１の補強金具３０とロックするロック機能、さらには該補強金具３０の接触腕部４４と接触して電気的に導通する電源端子としての機能を有してもよい。
【００６７】
尚、本発明は、上述した実施の形態に限定されるわけではなく、その他種々の変更が可能である。
【００６８】
以上の説明は、好ましい実施形態に関するものであり、物品を単に代表するものであることを理解すべきである。異なる実施形態の変形及び修正が上述の教示に照らして当業者に容易に明らかになることを認めることができる。従って、例示的実施形態並びに代替的な実施形態は、添付の特許請求の範囲で説明する物品の精神から逸脱することなく行うことができる。
【符号の説明】
【００６９】
１  レセプタクルコネクタ（回路基板用コネクタ装置）
２  プラグコネクタ（相手コネクタ）
３  コネクタ装置組立体
１０  ハウジング 
１０Ａ  頂部
１２  突壁
１３  周壁
１４  側壁（長さ部分）
１５  端壁（幅部分）
１６  受入部
２０  端子
２２ａ  弾性接触部
２３Ａ  頂部
３０  補強金具
３２  上壁部
３２Ａ  頂部
３３  端壁部
３６Ａ  頂部
３８  底部
４０  側壁頂面補強部（第一の部分）
４０ａ  外端
４０ｂ  内端
４０Ａ  頂部
４１  立上部（第二の部分）
４２  実装部
４４ａ  弾性接触部
４４  接触腕部
５１  底壁
【図１】
2020119692.tif 000003
【図２】
2020119692.tif 000004
【図３】
2020119692.tif 000005
【図４】
2020119692.tif 000006
【図５】
2020119692.tif 000007
【図６】
2020119692.tif 000008
【図７】
2020119692.tif 000009
【図８】
2020119692.tif 000010
【図９】
2020119692.tif 000011
【図１０】
2020119692.tif 000012
【図１１】
2020119692.tif 000013